(57)【要約】【課題】建物壁の施工後に建具枠の施工を行うことができ、また簡単に建具枠を仕舞い良く施工できる建具枠の取り付け構造を提供する。【解決手段】建具枠１は左右両側の縦枠１５と上枠１６を備える。建具枠１が取付けられる建物開口部２を左右の下地縦枠４と下地上枠５を備えた下地枠３で形成する。下地縦枠４に他方の下地縦枠４側に開口する水平断面コ字状の凹溝１４を形成する。下地縦枠４の凹溝１４に建具枠１の縦枠１５から突設したスライド突部１８を左右方向にスライド自在に挿入する。下地上枠５の下面に上枠１６を固着する。縦枠１５の上端部を上枠１６の長手方向の端面に当接する。縦枠１５を固着具２４により下地縦枠４に固着する。【選択図】        図１
2008303551.tif 000002
【特許請求の範囲】
【請求項１】
建具枠が取付けられる建物開口部を左右の下地縦枠と下地上枠を備えた下地枠で形成し、下地縦枠に他方の下地縦枠側に開口する水平断面コ字状の凹溝を形成し、該凹溝に建具枠の縦枠から突設したスライド突部を左右方向にスライド自在に挿入し、下地上枠の下面に建具枠の上枠を固着し、前記スライド突部を有する縦枠の上端部を上枠の長手方向の端面に当接し、下地縦枠の前後両面に配置した壁板のうち、少なくとも一方の壁板の表面側から釘又はビスからなる固着具を挿入し、該固着具を下地縦枠を貫通して縦枠のスライド突部に固着して成ることを特徴とする建具枠の取り付け構造。
【請求項２】
パネル枠の前後両面に面板を設けた壁パネルを備え、該壁パネルのパネル枠の一方のパネル縦枠で前記凹溝を有する下地縦枠を構成して成ることを特徴とする請求項１に記載の建具枠の取り付け構造。
【発明の詳細な説明】
【技術分野】
【０００１】
本発明は建物開口部に取付けられる建具枠の取り付け構造に関する。
【背景技術】
【０００２】
従来、ドア枠や窓枠のような建具枠の取り付け構造としては例えば特許文献１に示すものが知られている。この種の建具枠は建物壁に設けた建物開口部に取り付けられるが、ここで、建具枠１の施工は、図６のように建物壁８の施工と並行して行う場合と、図８のように建物壁８の施工が終了した後に行う場合とがある。
【０００３】
前者の場合は、図６（ｂ）に示すように施工現場に納入された建具枠１を施工した後、図６（ｂ）及び（ｃ）の矢印に示すように建具枠１の回りに建物壁８を施工するものである。しかし、この施工方法では建物内に例えばキッチンのような大型設備を搬入・施工する際に既設の建具枠１が傷付くといった問題が生じる。
【０００４】
また、後者の場合、即ち建具枠１の施工を建物壁８の施工後に行う場合は、図８（ａ）に示すように建物壁８に建物開口部２を形成し、該建物開口部２の内面に図８（ｂ）に示すように建具枠１を取り付ける。ここで建物壁８の施工時において建物開口部２の大きさを建具枠１の大きさに合わせることは難しいため、従来では、図８（ａ）のように予め建物開口部２を建具枠１の設計寸法よりも若干大きく形成し、この建物開口部２の内面に図７（ａ）のように寸法調節用のスペーサ４０を介して建具枠１を取り付けるなどしていた。この場合は、建具枠１を建物開口部２に施工する前に大型設備を搬入・施工できるので上記問題は改善される。なお、図７（ａ）のように建具枠１を建物開口部２に取り付けた後は、図７（ｂ）（ｃ）のように建具枠１に見切り材４１が取り付けられる。
【０００５】
しかし、上記のように建物開口部２にスペーサ４０を介して建具枠１を取り付けるものにあっては、建具枠１の大きさに合うように任意のスペーサ４０を選択して建物開口部２と建具枠１の間に介装する必要があり、非常に手間がかかる。
【特許文献１】特開平９−７８９４２号公報
【発明の開示】
【発明が解決しようとする課題】
【０００６】
本発明は上記従来の問題点に鑑みて発明したものであって、建物壁の施工後に建具枠の施工を行うことができ、また簡単に建具枠を仕舞い良く施工できる建具枠の取り付け構造を提供することを課題とするものである。
【課題を解決するための手段】
【０００７】
上記課題を解決するために本発明に係る建具枠の取り付け構造は、建具枠１が取付けられる建物開口部２を左右の下地縦枠４と下地上枠５を備えた下地枠３で形成し、下地縦枠４に他方の下地縦枠４側に開口する水平断面コ字状の凹溝１４を形成し、該凹溝１４に建具枠１の縦枠１５から突設したスライド突部１８を左右方向にスライド自在に挿入し、下地上枠５の下面に建具枠１の上枠１６を固着し、前記スライド突部１８を有する縦枠１５の上端部を上枠１６の長手方向の端面に当接し、下地縦枠４の前後両面に配置した壁板１０のうち、少なくとも一方の壁板１０の表面側から釘又はビスからなる固着具２４を挿入し、該固着具２４を下地縦枠４を貫通して縦枠１５のスライド突部１８に固着して成ることを特徴とする。このように下地縦枠４の凹溝１４に建具枠１の縦枠１５から突設したスライド突部１８を左右方向にスライド自在に挿入し、縦枠１５の上端部を下地上枠５の下面に固着した上枠１６の長手方向の端面に当接し、縦枠１５を固着具２４により下地縦枠４に固着することで、建物壁８の施工後に建具枠１の施工を行うことができる。また、下地縦枠４の凹溝１４に対して縦枠１５のスライド突部１８をスライドするだけで、縦枠１５の上端部を上枠１６の長手方向の端面に当接でき、建具枠１を仕舞い良く施工できる。
【０００８】
また請求項２は請求項１において、パネル枠９の前後両面に壁板１０を設けた壁パネル７ａを備え、該壁パネル７ａのパネル枠９の一方のパネル縦枠材１１で前記凹溝１４を有する下地縦枠４を構成して成ることを特徴とする。壁パネル７ａのパネル縦枠材１１で前記凹溝１４を有する下地縦枠４を構成できる。
【発明の効果】
【０００９】
本発明では、建物壁の施工後に建具枠の施工を行うことができ、建具枠の施工前に建物内にキッチンのような大型設備を搬入・施工することができ、建具枠が傷付かないようにできる。また、下地縦枠の凹溝に対して縦枠のスライド突部をスライドし、縦枠の上端部を上枠の長手方向の端面に当接するだけで、建具枠を仕舞い良く施工でき、従来のようにスペーサを用いるものと比較して建具枠の施工を非常に簡単なものにできる。
【発明を実施するための最良の形態】
【００１０】
以下、本発明を添付図面に示す実施形態に基づいて説明する。本発明の建具枠の取り付け構造は軸組工法（在来工法）やパネル工法等で建設した住宅に適用されるものであり、まず、パネル工法にて建設される住宅に適用した一例について説明する。なお、以下では建具枠をドア枠とした例について説明するが、建具枠としては従来から知られている窓枠等のその他の建具枠であっても良い。
【００１１】
本例の建具枠１は内側に開閉自在なドア（図示せず）を設けるドア枠からなり、該建具枠１が取り付けられる建物開口部２は建物に立設した下地枠３で構成される。下地枠３は両側の下地縦枠４（図１参照）と、下地縦枠４の上端部間に配設される下地上枠５（図３参照）を備え、全体で正面視門形をなす。
【００１２】
図２に示すように複数の壁パネルを立設することで形成される建物壁８の建具枠１の施工予定位置には開口６が形成される。開口６の周囲に配設される各壁パネル７ａ、７ｂは矩形枠状のパネル枠９の前後両面に壁板１０を貼着して構成してあり、各壁パネル７ａ、７ｂのパネル枠９は左右のパネル縦枠材１１とパネル上枠材（図示せず）及びパネル下枠材１３で構成してある。左右の下地縦枠４は開口６の両側に配設した壁パネル７ａの一方のパネル縦枠材１１（図１参照）で構成してあり、また下地上枠５は開口６の上方に位置する壁パネル７ｂ、即ち両壁パネル７ａの上部間に配設した壁パネル７ｂのパネル下枠材１３（図３参照）で構成してある。
【００１３】
各下地縦枠４の他方の下地縦枠４側（開口６側）の側面において前後方向の中央には水平断面コ字状の凹溝１４を上下全長に亘って形成してある。図示例では各下地縦枠４を構成するパネル縦枠材１１を上下に長い断面コ字状に形成することで前記他方の下地縦枠４側に開口する凹溝１４を形成している。なお、凹溝１４を構成するパネル縦枠材１１の前後両面に設けた壁板１０の側縁部は前後の壁板１０間に配設した下地縦枠４よりも他方の下地縦枠４側に突出している。
【００１４】
図２（ｃ）に示すように建具枠１は左右両側の縦枠１５と上枠１６を備えている。図１に示すように各縦枠１５は長尺な枠本体１７と枠本体１７の一側面から突設したスライド突部１８とで構成してある。
【００１５】
枠本体１７は水平断面で略コ字状に形成され、スライド突部１８側の側面の前後両端部に見切り部１９を一体に突設している。このため両見切り部１９間には水平断面コ字状のコ字状溝２０が形成されている。また、閉じたドアの戸先側に位置する縦枠１５の枠本体１７のスライド突部１８と反対側の側面の前後中央には嵌込溝２１を形成している。
【００１６】
スライド突部１８は水平断面矩形状に形成された木材等で構成され、枠本体１７と別部材である。スライド突部１８はその突出先端面から打入又は挿入した釘又はビスからなる固着具２２の先端部を枠本体１７に固着することで、枠本体１７のコ字状溝２０の底面の前後方向の中央部に取り付けられている。スライド突部１８と各見切り部１９との間には対応する下地縦枠４側に開口する差込溝２３が形成されている。スライド突部１８は枠本体１７の両側の見切り部１９よりも突出し、該スライド突部１８の幅は凹溝１４の幅と略同じである。従ってスライド突部１８は対応する下地縦枠４の凹溝１４に対して深浅自在（即ち図１（ｂ）の矢印で示す左右方向にスライド自在）に挿入可能となっている。
【００１７】
上記建具枠１は図２に示すように建物壁８を施工した後に建物開口部２に取り付けられる。建物壁８の施工は、図２（ａ）に示すように建具枠１の施工予定位置に前記両壁パネル７ａのパネル縦枠材１１と壁パネル７ｂのパネル下枠材１３を配設し、これにより両側の下地縦枠４及び下地上枠５からなる下地枠３を立設して建物開口部２を形成する。ここで、建物開口部２はその開口幅が設計上の建具枠１の幅寸法（詳しくは両縦枠１５のコ字状溝２０の底面間の距離）より若干長くなるように形成される。
【００１８】
上記建物壁８の施工の後に建具枠１は建物開口部２に取り付けられる。建具枠１の取り付けは、まず図１（ａ）及び（ｂ）並びに図２（ａ）に示すように各縦枠１５のスライド突部１８を対応する下地縦枠４の凹溝１４に左右方向にスライド自在に挿入し、建物開口部２内の両側端部に各縦枠１５を配置する。また、この時、各縦枠１５の前後両側の差込溝２３に壁パネル７ａの前後両面の壁板１０の側縁部をコ字状の下地縦枠４の前後の片部４ａ、４ｂと共に差し込む。ここで各縦枠１５のスライド突部１８は図１（ｂ）に示すようにコ字状溝２０の底面が壁パネル７ａの壁板１０の端面に近接する位置に配置される凹溝１４の奥まで挿入される。
【００１９】
次に、図２（ｂ）及び図３に示すように上枠１６を両縦枠１５の上端部間に位置するよう下地上枠５の下面に沿って配置し、該上枠１６を図示しない固着具を用いて下地上枠５の下面に固着する。この時、上枠１６はその長手方向の両端面と対向する下地縦枠４の側面との間にわずかな隙間２５（図２（ｂ）参照）が形成されるよう下地上枠５に固着する。
【００２０】
次にスライド突部１８を図１（ｃ）の矢印方向にスライドさせながら各縦枠１５を図２（ｃ）に示すように対応する下地縦枠４から離れる方向に移動し、これにより各縦枠１５の上端部を上枠１６の長手方向の端面に当接する。そして、この状態で図１（ｃ）のように各下地縦枠４の前後両面に配置した壁板１０に釘又はビスからなる固着具２４を打入又は挿入し、各固着具２４の先端部を下地縦枠４を貫通して縦枠１５のスライド突部１８に固着する。これにより壁板１０及び下地縦枠４は各固着具２４により縦枠１５に固定される。
【００２１】
このように下地枠３に取り付けた建具枠１は全体で正面視門形となり、この取付状態では、図１（ｄ）に示すように壁パネル７ａの前後の壁板１０の側端面と枠本体１７のコ字状溝２０の底面との間に縦枠１５をスライドした分だけ隙間２６が形成されるが、各縦枠１５にあっては枠本体１７の両側の見切り部１９が壁パネル７ａの前後の壁板１０の側縁部の表面側に位置するので、各見切り部１９により前記隙間２６は隠される。
【００２２】
そして上記のように建物開口部２に建具枠１を取り付けた後には、図１（ｄ）のように壁パネル７ａ、７ｂの前後の壁板１０の表面の略全体に仕上げ材となる化粧シート２７が貼着される。また壁パネル７ａにあっては化粧シート２７により各壁板１０の表面に露出した固着具２４が覆い隠される。またドアの戸先側に位置する縦枠１５の嵌込溝２１にあっては、戸当たり２８が嵌め込まれて取り付けられる。
【００２３】
このように本例の建具枠１の取り付け構造にあっては、下地縦枠４の凹溝１４に建具枠１の縦枠１５から突設したスライド突部１８を左右方向にスライド自在に挿入し、該縦枠１５の上端部を下地上枠５の下面に固着した上枠１６の長手方向の端面に当接し、該縦枠１５を固着具２４により下地縦枠４に固着してあるので、建物壁８の施工後に建具枠１の施工を行うことができ、建具枠１の施工前に建物内にキッチンのような大型設備を搬入・施工することができ、建具枠１が傷付かないようにできる。また、下地縦枠４の凹溝１４の両側面に沿って縦枠１５のスライド突部１８をスライドすることで、縦枠１５の上端部を上枠１６の長手方向の端面に当接でき、建具枠１の施工は非常に簡単なものとなる。
【００２４】
次に上記一例とは異なる他例の建具枠の取り付け構造を図４及び図５に示す。なお一例と同一の構成については同一の番号を付与し、重複する説明は省略する。
【００２５】
本例は本発明を軸組み工法にて建設される住宅に適用したものである。図５に示すように建物開口部２を構成する下地枠３の各下地縦枠４は建物に並設した２本の間柱２９の対向する側面に固着され、また下地上枠５は前記２本の間柱２９間に架設した横架材３０で構成される。
【００２６】
建具枠１は図５に示すように建物壁８の施工後に建物開口部２に取り付けられる。つまり、建物壁８の施工の際には、図５（ａ）に示すように建具枠１の施工予定位置に前記２本の間柱２９及び横架材３０を立設すると共に、各間柱２９の側面に沿って下地縦枠４を設け、これにより両側の下地縦枠４及び横架材３０からなる下地上枠５で下地枠３を構成して建物開口部２を形成する。次いで図４（ａ）及び（ｂ）並びに図５（ｂ）のように間柱２９の前後両面に壁板１０が貼着して建物壁８を形成する。なお、各下地縦枠４の前後両面には前後の壁板１０の側縁部が貼着される。
【００２７】
上記建物壁８の施工後に建具枠１は建物開口部２に取り付けられる。建具枠１の取り付けは、まず図４（ｂ）及び（ｃ）に示すように各縦枠１５のスライド突部１８を対応する下地縦枠４の凹溝１４に左右方向にスライド自在に挿入し、建物開口部２内の両側端部に各縦枠１５を配置する。また、この時、各縦枠１５の前後両側の差込溝２３に間柱２９の前後両面に設けた壁板１０の側縁部をコ字状の下地縦枠４の前後の片部４ａ、４ｂと共に差し込む。ここで各縦枠１５のスライド突部１８は図４（ｃ）に示すようにコ字状溝２０の底面が前後の壁板１０の端面に近接するよう凹溝１４の奥まで挿入される。
【００２８】
次に、図５（ｃ）のように上枠１６を下地上枠５の下面に沿わせて両縦枠１５の上端部間に配置し、図示しない固着具を用いて下地上枠５の下面に固着する。この時、上枠１６はその長手方向の両端面と対向する下地縦枠４の側面との間にわずかな隙間（図示せず）が形成されるよう下地上枠５に固着する。
【００２９】
次にスライド突部１８を図４（ｄ）の矢印方向にスライドさせながら各縦枠１５を図５（ｃ）のように対応する下地縦枠４から離れる方向に移動し、これにより各下地縦枠４の上端部を上枠１６の長手方向の端面に当接する。そして、この状態で図４（ｄ）のように各下地縦枠４の前後両面の壁板１０に釘又はビスからなる固着具２４を挿入し、各固着具２４の先端部を下地縦枠４を貫通して縦枠１５のスライド突部１８に固着する。なお、図示は省略するが、下地縦枠４の嵌込溝２１には図示は省略するが一例と同様に戸当たり２８を嵌め込むものとする。また、前後の壁板１０の表面には一例と同様に固着具２４を覆う仕上げ材を設けても良いものとする。しかして、本例のように軸組み工法で住宅を建設するものにおいても本発明を適用できる。
【００３０】
なお、上記一例及び他例では下地枠３の両下地縦枠４に各縦枠１５のスライド突部１８を挿入するための凹溝１４を形成したが、一方の下地縦枠４にのみ凹溝１４を形成しても良い。また、縦枠１５のスライド突部１８を下地縦枠４に固着するための固着具２４を下地縦枠４の前後両面に配置した各壁板１０の表面側から挿入したが、固着具２４は下地縦枠４の前後両面に配置した壁板１０のうち一方の壁板１０の表面側からのみ挿入しても良い。
【図面の簡単な説明】
【００３１】
【図１】（ａ）〜（ｄ）は本発明の実施の形態の一例の建具枠の取り付けを順に示した水平断面図である。
【図２】（ａ）〜（ｃ）は同上の建具枠の取り付けを順に示した正面図である。
【図３】同上の上枠の取り付け構造を示す側断面図である。
【図４】（ａ）〜（ｄ）は他例の建具枠の取り付けを順に示した水平断面図である。
【図５】（ａ）〜（ｃ）は同上の建具枠の取り付けを順に示した正面図である。
【図６】（ａ）〜（ｃ）は従来の建具枠の取り付けを順に示した正面図である。
【図７】（ａ）〜（ｃ）は他の従来の建具枠の取り付けを順に示した水平断面図である。
【図８】（ａ）〜（ｃ）は同上の建具枠の取り付けを順に示した正面図である。
【符号の説明】
【００３２】
１  建具枠
２  建物開口部
４  下地縦枠
５  下地上枠
１４  凹溝
１５  縦枠
１６  上枠
１８  スライド突部
【図１】
2008303551.tif 000003
【図２】
2008303551.tif 000004
【図３】
2008303551.tif 000005
【図４】
2008303551.tif 000006
【図５】
2008303551.tif 000007
【図６】
2008303551.tif 000008
【図７】
2008303551.tif 000009
【図８】
2008303551.tif 000010